(57)【特許請求の範囲】
【請求項１】
マイクロフォンを搭載した携帯端末であって、
音声を入力するための孔である音孔が形成された筐体部品と、
金属を用いて作製されたシートである金属製シートとを備え、
前記筐体部品は、音声が入力される側の面とは反対側の面に、金属を用いて形成された層である金属層が形成され、
前記金属製シートは、
前記筐体部品の音孔が形成されている部分に、音声が入力される側の面とは反対側の面に貼り付けられていることによって、前記筐体部品と前記マイクロフォンとの間に位置するように配置され、
前記金属層を介して、前記携帯端末の接地部に接続され、
前記マイクロフォンは、前記金属製シートが前記筐体部品に貼り付けられた状態で、前記筐体部品に取り付けられていることによって、前記筐体部品の音孔が形成されている部分に位置するように、前記筐体部品に対して音声が入力される側とは反対側に配置されている
ことを特徴とする携帯端末。
【請求項２】
外部装置と接続するための接続部を備え、
前記接続部は、
当該接続部の接続端子を囲むように設けられた金属製の導体である導体部を含み、
マイクロフォンの音声が入力される側の面とは反対側の面に配置され、
前記導体部は、携帯端末の接地部に所定の接地方法を用いて接続されている
請求項１記載の携帯端末。
【請求項３】
金属製シートは、メッシュ状に形成されたシートである請求項１又は請求項２記載の携帯端末。
【請求項４】
マイクロフォンは、携帯端末の筐体部のうち、操作部が形成されている筐体部に配置されている請求項１から請求項３のうちのいずれか１項に記載の携帯端末。
【請求項５】
携帯電話機である請求項１から請求項４のうちのいずれか１項に記載の携帯端末。
【請求項６】
マイクロフォンを搭載した携帯端末のノイズ防止構造であって、
音声を入力するための孔である音孔が形成された筐体部品と、
金属を用いて作製されたシートである金属製シートとを備え、
前記筐体部品は、音声が入力される側の面とは反対側の面に、金属を用いて形成された層である金属層が形成され、
前記金属製シートは、
前記筐体部品の音孔が形成されている部分に、音声が入力される側の面とは反対側の面に貼り付けられていることによって、前記筐体部品と前記マイクロフォンとの間に位置するように配置され、
前記金属層を介して、前記携帯端末の接地部に接続され、
前記マイクロフォンは、前記金属製シートが前記筐体部品に貼り付けられた状態で、前記筐体部品に取り付けられていることによって、前記筐体部品の音孔が形成されている部分に位置するように、前記筐体部品に対して音声が入力される側とは反対側に配置されている
ことを特徴とする携帯端末のノイズ防止構造。
【発明の詳細な説明】
【技術分野】
【０００１】
本発明は、マイクロフォンを搭載する携帯端末に関し、特にマイクロフォンへの電気的ノイズの影響を低減する携帯端末に関する。また、本発明は、携帯端末が搭載するマイクロフォンへの電気的ノイズの影響を低減するノイズ防止構造に関する。
【背景技術】
【０００２】
携帯電話機等の携帯端末において、携帯端末が搭載するマイクロフォンが、携帯端末自身が発生する電気的ノイズの影響を受けることがある。例えば、携帯端末が搭載する各種電気部品（例えば、送受信回路や液晶表示部）が発生する電気的ノイズの影響によって、マイクロフォンからの音声信号の雑音レベルが増大してしまうことがある。
【０００３】
携帯端末が搭載する各種電機部品が発生するノイズを低減するために、例えば、特許文献１には、携帯型情報端末が搭載する回路基板等から発生する高周波ノイズを低減するノイズ防止方法が記載されている。特許文献１に記載されたノイズ防止方法では、回路基板間に導電物を配置したり、筐体の表面に金属箔や金属メッキによる導電物を形成することによって、携帯型情報端末が搭載する回路基板等が発生する高周波ノイズを低減している。
【０００４】
【特許文献１】特開２００３−２６４３５５号公報（段落００３７−００４２、図２−３）
【発明の開示】
【発明が解決しようとする課題】
【０００５】
特許文献１に記載されたノイズ防止方法を用いれば、携帯端末が搭載する各種電気部品によるノイズの発生をある程度低減することができる。しかし、各種電気部品がノイズを発生してしまった場合に、それらのノイズがマイクロフォンに入力されてしまうことを防止することはできない。そのため、携帯端末自身が発生するノイズの影響により、マイクロフォンからの音声信号の雑音レベルが増大してしまう虞がある。
【０００６】
そこで、本発明は、携帯端末自身がノイズを発生する場合に、携帯端末が搭載するマイクロフォンへのノイズの影響を低減できる携帯端末、及び携帯端末のノイズ防止構造を提供することを目的とする。
【課題を解決するための手段】
【０００７】
本発明による携帯端末は、マイクロフォン（例えば、マイクロフォン１３０）を搭載した携帯端末（例えば、携帯電話機１００）であって、音声を入力するための孔である音孔（例えば、音孔１３１）が形成された筐体部品（例えば、フロントケース１２）と、金属（例えば、ステンレス）を用いて作製されたシートである金属製シート（例えば、メッシュ１３２）とを備え、筐体部品は、音声が入力される側の面とは反対側の面に、金属を用いて形成された層である金属層が形成され、金属製シートは、筐体部品の音孔が形成されている部分に、音声が入力される側の面とは反対側の面に貼り付けられていることによって、筐体部品とマイクロフォンとの間に位置するように配置され、金属層を介して、携帯端末の接地部（例えば、基板１４０のグランド）に接続され、マイクロフォンは、金属製シートが筐体部品に貼り付けられた状態で、筐体部品に取り付けられていることによって、筐体部品の音孔が形成されている部分に位置するように、筐体部品に対して音声が入力される側とは反対側に配置されていることを特徴とする。
【００１２】
また、携帯端末は、外部装置と接続するための接続部（例えば、ＩＯコネクタ１２０）を備え、接続部は、当該接続部の接続端子（例えば、コネクタ端子部２０１）を囲むように設けられた金属製の導体である導体部（例えば、外部導体２０２）を含み、マイクロフォンの音声が入力される側の面とは反対側の面に配置され、導体部は、携帯端末の接地部に所定の接地方法を用いて接続されているものであってもよい。
【００１６】
また、金属製シートは、メッシュ状に形成されたシートであることが望ましい。
【００１７】
また、マイクロフォンは、携帯端末の筐体部のうち、操作部が形成されている筐体部（例えば、折り畳み式携帯電話機１００のＥＬシート１１０が搭載されている側の筐体部）に配置されていてもよい。
【００１８】
また、携帯端末は、携帯電話機であってもよい。
【００１９】
本発明による携帯端末のノイズ防止構造は、マイクロフォンを搭載した携帯端末のノイズ防止構造であって、音声を入力するための孔である音孔が形成された筐体部品と、金属を用いて作製されたシートである金属製シートとを備え、筐体部品は、音声が入力される側の面とは反対側の面に、金属を用いて形成された層である金属層が形成され、金属製シートは、筐体部品の音孔が形成されている部分に、音声が入力される側の面とは反対側の面に貼り付けられていることによって、筐体部品とマイクロフォンとの間に位置するように配置され、金属層を介して、携帯端末の接地部に接続され、マイクロフォンは、金属製シートが筐体部品に貼り付けられた状態で、筐体部品に取り付けられていることによって、筐体部品の音孔が形成されている部分に位置するように、筐体部品に対して音声が入力される側とは反対側に配置されていることを特徴とする。
【発明の効果】
【００２０】
本発明によれば、携帯端末は、筐体部品の音孔が形成されている部分に、音声が入力される側の面とは反対側の面に貼り付けられていることによって、金属製シートが筐体部品とマイクロフォンとの間に位置するように配置され、金属層を介して、金属シートが携帯端末の接地部に接続されるように構成される。従って、携帯端末自身がノイズを発生する場合に、携帯端末が搭載するマイクロフォンへのノイズの影響を低減することができる。
【００２１】
また、本発明において、携帯端末は、携帯端末の接地部に設置された金属製の導体部を含む接続部を備え、マイクロフォンの音声が入力される側の面とは反対側の面に接続部が配置されるように構成すれば、携帯端末の内部でマイクロフォンの裏面から入り込むノイズのレベルも低減することができる。
【発明を実施するための最良の形態】
【００２３】
実施の形態１．
以下、本発明の第１の実施の形態を図面を参照して説明する。まず、本発明による携帯端末の概念について説明する。携帯端末（例えば、携帯電話機）は、操作部にＥＬシートを利用したキーシートを備え、ＥＬシートを発光させることによって操作部の発光を行う。また、携帯端末において、ＥＬシートの近傍にマイクロフォン（コンデンサマイク）が配置される。ＥＬシートを発光する時に、ＥＬシートから発生する電気的なノイズがマイクロフォンの音孔からマイクロフォン内部に入ると、マイクロフォンの振動板に接続されたＦＥＴゲートのレベルが変動することによりマイクロフォンの出力信号に雑音が発生する。
【００２４】
本発明では、上記の問題を回避するために、マイクロフォンの前面にステンレス製のメッシュ（メッシュ状のシート）を貼り付け、マイクロフォン内部に入り込む電気的ノイズのレベルを低減している。また、マイクロフォンの裏面側（回路基板が配置される側）からの電気的なノイズを低減するために、ＧＮＤ（グランド）に接続されてシールドされたＩＯコネクタ上にマイクロフォンを配置することにより、マイクロフォンの出力信号に発生する雑音を低減している。
【００２５】
図１は、本発明による携帯端末を正面から見た正面図である。図１に示すように、本実施の形態では、携帯端末が折り畳み式の携帯電話機１００である場合を説明する。なお、携帯端末は、折り畳み式以外の携帯電話機であってもよい。また、携帯端末は、携帯電話機に限らず、ＰＨＳ等の端末であってもよい。また、本実施の形態では、携帯電話機１００を見たときに、携帯電話機１００を開いた状態で、操作部１２４や表示部１２５を含む側の面を正面という。
【００２６】
また、図１に示すように、携帯電話機１００は、操作部１２４が含まれる面と同じ面を含む筐体部品に、音声を入力するための孔部である音孔１３１が設けられている。また、筐体部の音孔１３１が設けられている部分の裏面には、マイクロフォン１３０が取り付けられる。なお、本実施の形態では、筐体部品の各面のうち、操作部１２４や表示部１２５が含まれる側の面（すなわち、携帯電話機１００を外部から見たときに視認できる側の面）を表面という。また、表面に対向する面（すなわち、携帯電話機１００を外部から見たときに携帯電話機１００の内側に隠れて見えない側の面）を裏面という。
【００２７】
図２は、携帯電話機１００の構成の例を示すブロック図である。図２に示すように、携帯電話機１００は、電波の送受信を行うアンテナ１１と、制御部１２１と、記憶部１２２と、無線通信部１２３と、操作部１２４と、表示部１２５と、カメラユニット（以下、「カメラ」という。）１２６と、リンガー発生器１２７と、リンガー駆動部１２８と、音声出力用のスピーカ１２９と、音声入力用のマイクロフォン１３０とを備えている。
【００２８】
制御部１２１は、例えばＣＰＵ（中央処理装置）と、図示しない各種の周辺回路とで構成され、携帯電話機１００が備える各部の制御を行う機能を有する。
【００２９】
記憶部１２２は、例えばＲＡＭ等の記憶媒体によって構成され、制御部１２１が実行する制御プログラム等の各種のデータが格納される。なお、記憶部１２２の一部がＲＯＭによって構成されていてもよく、ＲＯＭ部分に制御プログラムが格納されていてもよい。
【００３０】
無線通信部１２３は、所定の通信プロトコルに従って信号の変復調を行う機能を有する。具体的には、無線通信部１２３は、無線信号を、アンテナ１１を介して受信して復調する処理を行う。また、無線通信部１２３は、制御部１２１から出力された信号を変調し、アンテナ１１を介して無線信号を送信する処理を行う。
【００３１】
操作部１２４は、例えば、電話番号の入力等を行うためのキーボタンによって構成される。操作部１２４は、ユーザの操作に応じた入力信号を制御部１２１に出力する機能を有する。
【００３２】
表示部１２５は、例えばＬＣＤ（Liquid Crystal Display：液晶表示装置）によって構成され、携帯電話機１００の折畳時に筐体の内側となる位置に配設される。表示部１２５には、例えば待ち受け画面や機能設定画面等が表示される。
【００３３】
カメラ１２６は、例えばディジタルカメラが備える各種の機能を有し、被写体を撮像するＣＣＤ等の撮像素子や、撮像によって得た画像データを制御部１２１に出力する回路等を備えている。
【００３４】
リンガー駆動部１２８は、制御部１２１の制御に従ってリンガー発生器１２７に駆動信号を出力する機能を有する。
【００３５】
リンガー発生器１２７は、リンガー駆動部１２８からの駆動信号に従って、着信音を発生する機能を有する。なお、着信音や着信メロディはスピーカ１２９から鳴動され、通話時の音声信号はレシーバから出力される。
【００３６】
ＥＬシート１１０は、制御部１２１から電源が供給されると発光する機能を備える。本実施の形態では、ＥＬシート１１０が発光することによって、携帯電話機１００のユーザに、携帯電話機１００のキーシートが発光しているように見せることができる。
【００３７】
次に、携帯電話機１００の構造について説明する。図３は、携帯電話機１００の構造の例を示す断面図である。なお、図３は、携帯電話機１００を正面から見て長手方向の中心線を含む面（図１に示すＡ−Ａ面）で切断した断面図に相当する。
【００３８】
図３に示すように、携帯電話機１００は、ＥＬシート１１０と、ＩＯコネクタ１２０と、マイクロフォン１３０と、基板１４０とを含む。ＥＬシート１１０は、携帯電話機１００の操作部１２４のキーシートを発光させるために用いられる。また、マイクロフォン（コンデンサマイク）１３０は、音声通話時の音声信号を取得（入力）するために用いられる。なお、本実施の形態では、マイクロフォン１３０は、コンデンサマイクであるものとする。また、ＩＯコネクタ１２０は、マイクロフォン１３０を固定するために用いられる。
【００３９】
また、基板１４０は、所定の回路が形成されている。本実施の形態では、基板１４０は、携帯電話機１００の制御を行ったりＥＬシート１１０に電源を供給したりするためのＬＳＩが実装される。また、図３に示すように、携帯電話機１００において、ＥＬシート１１０と、マイクロフォン１３０とは、携帯電話機１００の同一筐体側に実装され、かつ近傍に実装される。
【００４０】
本実施の形態では、携帯電話機１００において、キーシートを発光させるためのＥＬシートとコンデンサマイクロホンとが近傍に配置される（例えば、同じ筐体部に配置される）ことによって、ＥＬシートを発光した時にＥＬシートのプラスとマイナスとの極板間に２８０Ｈｚの交流駆動電圧により放射される電気的なノイズが発生する。そして、ＥＬシートから放射される電気的ノイズがマイクロフォンの音孔１３７からマイクロフォン内部に入りこむ。そのため、マイクロフォン内部の振動板に接続されたゲート信号のレベルが変動し、マイクロフォンの出力信号のレベルが変動してマイクロフォンの信号に雑音が発生する。
【００４１】
また、図４は、携帯電話機１００の筐体部のうちの操作部１２４が含まれる部分を分解した状態を示す説明図である。図４に示すように、操作部１２４を含む側の筐体部品（以下、フロントケースともいう）１２の裏面側には、携帯電話機１００の各キーボタン部が形成されているキーシート１５０が配置される。また、キーシート１５０の裏面側（フロントケース１２に対して反対側）には、ＥＬシート１１０が配置される。本実施の形態では、ＥＬシート１１０に制御部１２１から電源が供給されＥＬシート１１０が発光することによって、携帯電話機１００のユーザに、キーシート１５０が発光しているように見せることができる。
【００４２】
また、ＥＬシート１１０の裏面側（キーシート１５０に対して反対側）には、各種制御回路が実装される基板１４０が配置される。また、基板１４０には、携帯電話機１００を外部装置（例えば、パーソナルコンピュータ等の情報端末や充電器）と接続するためのＩＯコネクタ１２０が接続される。
【００４３】
また、ＩＯコネクタ１２０の表面側にはマイクロフォン１３０が配置される。なお、マイクロフォン１３０は、フロントケース１２の音孔１３１が設けられている部分の裏面側に位置するように配置される。
【００４４】
次に、マイクロフォン１３０の具体的な取り付け構造について説明する。図５は、マイクロフォン１３０の具体的な取り付け構造の一例を示す断面図である。なお、図５は、図３に示す断面図において、マイクロフォン１３０を含む部分を拡大して示した図に相当する。
【００４５】
図５に示すように、フロントケース１２の音孔１３１が設けられている部分の裏面側には、マイクロフォン１３０を取り付けるための取付部１３０ａが形成されている。また、マイクロフォン１３０はマイクロフォン単体１３０ｃとマイクフォルダ１３４とを含み、マイクロフォン単体１３０ｃは、マイクフォルダ１３４に取り付けられた状態で、フロントケース１２の取付部１３０ａに嵌め込まれている。なお、マイクフォルダ１３４は、例えば、エラストマ（例えば、合成ゴム）等の弾性体材料を用いて製作される。また、マイクフォルダ１３４は、導電性のゴムやバネ、リード線を含むコネクタ部を備える。また、マイクロフォン単体１３０ｃは、マイクホルダ１３４を介して、携帯電話機１００の基板１４０の信号線と導通される。
【００４６】
マイクロフォン１３０の前面（音声を入力する側の面）には、メッシュ状のシート（以下、単にメッシュという）１３２が貼り付けられている。本実施の形態では、マイクロフォン１３０には、金属製（例えば、ステンレス製）で綾織状に形成されたメッシュ１３２が貼り付けられている。また、本実施の形態では、例えば、厚さ０．１２ｍｍ、線径３０μｍ、開口（開口部分の幅）３３．５μｍ、開口率２７．８パーセントのメッシュ１３２が用いられる。
【００４７】
図６は、マイクロフォン単体１３０ｃの構造の例を示す断面図である。なお、図６は、コンデンサマイクの単体の構造を示したものに相当する。図６に示すように、マイクロフォン単体１３０ｃは、ＦＥＴ１３３や振動板１３５を含むマイクロフォン本体が、金属製（例えば、銅を含む合金製）のカプセル１３６内に収納されるように構成されている。また、カプセル１３６の前面（音声を入力する側の面）には、音声を入力するための孔部（以下、マイク側音孔ともいう）１３７が設けられている。また、カプセル１３６の前面には、メッシュ１３２が貼り付けられる。
【００４８】
また、メッシュ１３２は、金属製のカプセル１３６と接するように配置されることによって、カプセル１３６と導通される。そして、メッシュ１３２は、カプセル１３６を介して、基板１４０のグランドに接地されている。
【００４９】
図５及び図６に示すように、マイクロフォン１３０の前面に金属製のメッシュ１３２が配置されているので、フロントケース１２の音孔１３１から電気的ノイズが入力されると、マイク音孔部１３７からマイクロフォン内部に入り込む電気的ノイズがメッシュ１３２によってシールドされる。本実施の形態では、マイクロフォン１３０近傍（例えば、同一の筐体部）に配置されたＥＬシート１１０から放射される電気的なノイズがマイク音孔部１３１から入力されうるのであるが、メッシュ１３２でシールドされることによって、マイクロフォン１３０内部に入り込む電気的ノイズのレベルを低減することができる。
【００５０】
また、本実施の形態では、マイクロフォン１３０をＧＮＤ（グランド）に接続されることによってシールドされたＩＯコネクタ１２０上に配置することによって、マイクロフォン１３０の裏面（音声が入力される側とは反対側の面）側からの電気的なノイズをも低減している。図７は、携帯電話機１００のマイクロフォン１３０及びＩＯコネクタ１２０を含む部分の構造を示す断面図である。なお、図７は、携帯電話機１００のマイクロフォン１３０及びＩＯコネクタ１２０を含む部分を、携帯電話機１００の長手方向に対して直交する面（図１に示すＢ−Ｂ面）で切断した断面図に相当する。
【００５１】
図７に示すように、ＩＯコネクタ１２０は、コネクタ端子部２０１と、コネクタ端子部２０１を囲むように配置された金属製の外部導体２０２とを含む。また、外部導体２０２は、合成樹脂等を用いて製作された外皮部２０３で覆われている。また、外部導体２０２は、基板１４０のグランドに接地されている。また、図７に示すように、ＩＯコネクタ１２０は、マイクロフォン１３０の裏面側に配置される。
【００５２】
本実施の形態では、マイクロフォン１３０の裏面に外部導体２０２が接地されたＩＯコネクタ１２０が配置されているので、マイクロフォン１３０の裏面側からの電気的ノイズ（例えば、ＥＬシート１１０によって発生され、筐体内部から入力される電気的なノイズ）がシールドされる。
【００５３】
次に、携帯電話機１００のＥＬシート１１０を発光させる動作について説明する。携帯電話機１００において、キーシート１５０を発光させるための所定の発光条件が成立すると、基板１４０の電源部からＥＬシート１１０に電源が供給される。例えば、着信や、携帯電話機１００のユーザによる操作、通話中であること等を検出すると、基板１４０上に実装された電源ＩＣからＥＬシート１１０に電源が供給される。
【００５４】
ＥＬシート１１０に電源が供給されると、ＥＬシート１１０は発光する。また、ＥＬシート１１０が発光することによって、ユーザが携帯電話機１００の操作部１２４を見ると、携帯電話機１００のキーシート１５０が発光して見える。
【００５５】
また、ＥＬシート１１０が発光すると、ＥＬシート１１０から電気的なノイズが放射される。この場合、ＥＬシート１１０の近傍に位置するように搭載されたマイクロフォン１３０では、ＥＬシート１１０から放射される電気的ノイズがマイクロフォン１３０音孔部１３１からマイクロフォン１３０内部に入力されうる。すると、電気的ノイズの入力によって、マイクロフォン１３０の振動板１３５に接続されたＦＥＴ１３３のゲートの信号レベルが変動する。そのため、携帯電話機１００のユーザがマイクロフォン１３０に音声を入力せず、周囲に騒音がない状況であるにも関わらず、マイクロフォン１３０の信号に雑音が生じてしまう。
【００５６】
本実施の形態では、ＥＬシート１１０が電気的なノイズを発生させると、マイクロフォン１３０の前面（音孔１３０がある側の面）側に貼り付けられたステンレス製のメッシュ１３２が、音孔部からマイクロフォン１３０内部に入ろうとする電気的ノイズをシールドする。そのため、ＥＬシート１１０から放射される電気的なノイズがマイクロフォン１３０に入力されることを低減することができる。また、ステンレス製のメッシュ１３２を携帯電話機１００のＧＮＤ（グランド）に接地することによるシールド効果によって、マイクロフォン１３０の音孔１３７からマイクロフォン内部に入り込む電気的ノイズを低減させ、マイクロフォン１３０の信号に発生する雑音を低減することができる。
【００５７】
また、本実施の形態では、マイクロフォン１３０をＧＮＤ（グランド）に接続されシールドされたＩＯコネクタ１２０上に配置している。そのため、マイクロフォン１３０の裏面側からマイクロフォン１３０内部に入ろうとする電気的ノイズ（例えば、ＥＬシート１１０から放射される電気的なノイズ）を低減することができる。
【００５８】
なお、マイクロフォン１３０自体はカプセル１３６に覆われているので、マイクホルダ１３４を介して基板１４０のＧＮＤ（グランド）に接地することによって、マイクロフォン１３０の側面側からの電気的なノイズの影響を低減することができる。
【００５９】
上記に示すマイクロフォン１３０の実装構造を携帯電話機１００が備えることにより、マイクロフォン１３０内部に入力されるＥＬシート１１０から放射される電気的なノイズのレベルを低減することができ、マイクロフォン１３０の信号に発生する雑音レベルを低減することができる。
【００６０】
以上のように、本実施の形態によれば、マイクロフォン１３０の前面にステンレス製のメッシュ１３２を貼り付けて、メッシュ１３２を携帯電話機１００のＧＮＤ（グランド）と接地する。そのため、マイクロフォン１３０の音孔１３７からマイクロフォン１３０内部に電気的なノイズが入り込むレベルを低減することができる。
【００６１】
また、本実施の形態によれば、マイクロフォン１３０をＧＮＤ（グランド）に接続されシールドされたＩＯコネクタ１２０上に配置する。そのため、ＥＬシート１１０から放射される電気的なノイズがマイクロフォン１３０の裏面からマイクロフォン１３０内部に入り込むレベルを低減できる。よって、マイクロフォン１３０近傍にＥＬシート１１０を搭載した携帯電話機１００において、ＥＬシート１１０が発光する時にＥＬシート１１０から放射される電気的ノイズにより、マイクロフォン１３０の信号レベルが変動して発生する雑音レベルを低減することができる。従って、携帯電話機１００自身がノイズを発生する場合に、携帯電話機１００が搭載するマイクロフォン１３０へのノイズの影響を低減することができる。
【００６２】
なお、本実施の形態では、マイクロフォン１３０がＥＬシート１１０の近傍に配置される場合に、ＥＬシート１１０が発生する電気的ノイズを防止する場合を説明したが、ＥＬシート１１０以外の携帯電話機１００の電気部品が発生するノイズを防止する場合にも適用できる。例えば、メッシュ１３２を用いたノイズ防止構造は、携帯電話機１００の液晶表示部や送受信回路が発生するノイズを低減する用途にも適用できる。
【００６３】
実施の形態２．
次に、本発明の第２の実施の形態を図面を参照して説明する。なお、本実施の形態において、第１の実施の形態と同様の構成をなす部分についてはその詳細な説明を省略し、主として第１の実施の形態と異なる部分について説明する。
【００６４】
図８は、マイクロフォン１３０の具体的な取り付け構造の他の例を示す断面図である。本実施の形態において、マイクロフォン単体１３０ｃは、第１の実施の形態と同様に、マイクフォルダ１３４に取り付けられた状態で、フロントケース１２の取付部１３０ａに嵌め込まれている。また、マイクロフォン単体１３０ｃは、第１の実施の形態と同様に、マイクフォルダ１３４を介して、携帯電話機１００の基板１４０の信号線と導通される。
【００６５】
本実施の形態では、マイクロフォン１３０の前面には、金属製のメッシュ１３２に代えて、撥水性メッシュ１３８が貼り付けられている。また、本実施の形態では、フロントケース１２の音孔１３１が設けられている部分の裏面側（取付部１３０ａの部分）に、金属製のメッシュ１３２ａが貼り付けられている。なお、メッシュ１３２ａは、第１の実施の形態で示したメッシュ１３２と同様に、金属製（例えば、ステンレス製）で綾織状に形成されたシートである。また、例えば、厚さ０．１２ｍｍ、線径３０μｍ、開口（開口部分の幅）３３．５μｍ、開口率２７．８パーセントのメッシュ１３２ａが用いられる。
【００６６】
また、図９は、フロントケース１２を裏面側から見た場合の斜視図である。本実施の形態では、フロントケース１２の裏面側の全体に、例えば、金属メッキ等が施されることによって、金属層１２ａが形成されている。そして、マイクロフォン１３０に貼り付けられたメッシュ１３２ａは、フロントケース１２裏面側に形成された金属層を介して、基板１４０のグランドに接地されている。
【００６７】
本実施の形態では、撥水性メッシュ１３８を音孔面側（音声が入力される側）に貼り付けたマイクロフォン単体１３０ｃが、マイクホルダ１３４を介して携帯電話機１００の基板１４０の信号と導通される。そして、筐体ケース１２の取付部１３０ａに、マイクホルダ１３４に取り付けらた状態で嵌め込まれる。また、筐体ケース１２のマイクロフォン１３０用の音孔１３１が設けられている部分の裏面に、ステンレス製のメッシュ１３２ａを貼り付け、携帯電話機１００のＧＮＤ（グランド）と接地される。そのため、マイクフォン１３０近傍に配置されたＥＬシート１１０から放射される電気的なノイズが、マイクフォン１３０内部に入り込むレベルを低減することができる。
【００６８】
また、本実施の形態では、マイクロフォン１３０をＧＮＤ（グランド）に接続されシールドされたＩＯコネクタ１２０上に配置している。そのため、マイクロフォン１３０の裏面側からの電気的なノイズを低減することができる。
【００６９】
本実施の形態では、上記のようにマイクロフォン１３０を配置することにより、携帯電話機１００は、マイクロフォン１３０裏面からの電気的なノイズについても低減する構造を備える。
【００７０】
以上のように、本実施の形態によれば、フロントケース１２のマイクロフォン１３０の取付部１３０ａにステンレス製のメッシュ１３２を貼り付けて、メッシュ１３２を携帯電話機１００のグランドと接地する。そのため、マイクロフォン１３０の音孔からマイクロフォン１３０内部に電気的なノイズが入り込むレベルを低減することができる。従って、携帯電話機１００自身がノイズを発生する場合に、携帯電話機１００が搭載するマイクロフォン１３０へのノイズの影響を低減することができる。
【００７１】
実施の形態３．
次に、本発明の第３の実施の形態を図面を参照して説明する。なお、本実施の形態において、第１の実施の形態と同様の構成をなす部分についてはその詳細な説明を省略し、主として第１の実施の形態と異なる部分について説明する。
【００７２】
図１０は、携帯電話機１００の構造の他の例を示す断面図である。なお、図１０は、携帯電話機１００の操作部１２４を含む筐体部を、携帯電話機１００を正面から見て長手方向の中心線を含む面で切断した断面図に相当する。また、図１１は、携帯電話機１００の操作部１２４を含む筐体部を分解した状態を示す説明図である。
【００７３】
図１０及び図１１に示すように、第１の実施の形態と同様に、フロントケース１２の裏面側には、キーシート１５０が配置される。また、キーシート１５０の裏面側には、ＥＬシート１１０が配置される。さらに、ＥＬシート１１０の裏面側には、基板１４０ｂが配置される。
【００７４】
また、本実施の形態では、図１０及び図１１に示すように、基板１４０ｂの裏面側にマイクロフォン（コンデンサマイク）１３０ｂが取り付けられる。この場合、マイクロフォン１３０ｂは、図１０に示すように、フロントケース１２の音孔１３１が設けられている部分の裏面側に位置するように、基板１４０ｂの裏面側に取り付けられる。
【００７５】
また、基板１４０ｂの表面側には、金属製のメッシュ１３２ｂが貼り付けられる。この場合、メッシュ１３２ｂは、マイクロフォン１３０ｂが取り付けられている部分の表面側に位置するように、基板１４０ｂに貼り付けられる。また、メッシュ１３２ｂは、基板１４０ｂのグランドに接続されている。
【００７６】
また、基板１４０ｂには、音声を通すための音孔（以下、基板側音孔ともいう）１４１が設けられている。そのため、フロントケース１２の音孔１３１から入力された音声は、メッシュ１３２ｂを介して、基板側音孔１４１を通って、マイクロフォン１３０ｂに入力されることになる。
【００７７】
図１０及び図１１に示すように、マイクロフォン１３０ｂの前面（音声が入力される側）に、基板１４０ｂを介して、金属製のメッシュ１３２ｂが配置されているので、フロントケース１２の音孔１３１から電気的ノイズが入力されると、電気的ノイズがメッシュ１３２ｂによってシールドされる。
【００７８】
以上のように、本実施の形態によれば、基板１４０を介してマイクロフォン１３０の前面にステンレス製のメッシュ１３２を配置して、メッシュ１３２を基板１４０のグランドと接地する。そのため、マイクロフォン１３０の音孔からマイクロフォン１３０内部に電気的なノイズが入り込むレベルを低減することができる。従って、携帯電話機１００自身がノイズを発生する場合に、携帯電話機１００が搭載するマイクロフォン１３０へのノイズの影響を低減することができる。
【００７９】
実施の形態４．
次に、本発明の第４の実施の形態を図面を参照して説明する。なお、本実施の形態において、第１の実施の形態と同様の構成をなす部分についてはその詳細な説明を省略し、主として第１の実施の形態と異なる部分について説明する。
【００８０】
図１２は、マイクロフォン１３０の具体的な取り付け構造の更に他の例を示す断面図である。本実施の形態において、マイクロフォン単体１３０ｃは、第１の実施の形態と同様に、マイクフォルダ１３４に取り付けられた状態で、フロントケース１２ｃの取付部１３０ａにはめ込まれている。また、マイクロフォン単体１３０ｃは、第１の実施の形態と同様に、マイクフォルダ１３４を介して、携帯電話機１００の基板１４０の信号線と導通される。
【００８１】
本実施の形態では、マイクロフォン１３０の前面には、金属製のメッシュ１３２に代えて、撥水性メッシュ１３８が貼り付けられている。また、本実施の形態では、フロントケース１２ｃは、金属性のダイキャストとして製作される。また、フロントケース１２ｃは、基板１４０のグランドに接地されている。
【００８２】
また、金属製のフロントケース１２ｃには、音声を入力するための音孔１３１ｃが設けられている。この場合、音孔１３１ｃは、マイクロフォン１３０が取付部１３０ａに取り付けられた状態で、マイク側音孔１３７ｃの位置とは異なる位置になるように（所定の長さ分孔の位置がずれるように）、フロントケース１２ｃに設けられている。
【００８３】
図１２に示すように、フロントケース１２ｃが金属を用いて製作されているので、フロントケース１２ｃの音孔１３１ｃから電気的ノイズが入力されると、電気的ノイズが金属製のフロントケース１２ｃによってシールドされる。
【００８４】
以上のように、本実施の形態によれば、フロントケース１２ｃを金属を用いて作製し、マイクロフォン１３０のマイク側音孔１３７の位置とずれるように、フロントケース１２ｃに音孔１３１が形成される。そのため、マイクロフォン１３０の音孔からマイクロフォン１３０内部に電気的なノイズが入り込むレベルを低減することができる。従って、携帯電話機１００自身がノイズを発生する場合に、携帯電話機１００が搭載するマイクロフォン１３０へのノイズの影響を低減することができる。
【産業上の利用可能性】
【００８５】
本発明は、携帯電話機等の携帯端末に適用できる。特に、マイクロフォンを搭載した携帯端末において、ノイズの影響を低減する用途に適用できる。
【図面の簡単な説明】
【００８６】
【図１】本発明による携帯端末を正面から見た正面図である。
【図２】携帯電話機の構成の例を示すブロック図である。
【図３】携帯電話機の構造の例を示す断面図である。
【図４】携帯電話機の筐体部のうちの操作部１２４が含まれる部分を分解した状態を示す説明図である。
【図５】マイクロフォンの具体的な取り付け構造の一例を示す断面図である。
【図６】マイクロフォン単体の構造の例を示す断面図である。
【図７】携帯電話機のマイクロフォン及びＩＯコネクタを含む部分の構造を示す断面図である。
【図８】マイクロフォンの具体的な取り付け構造の他の例を示す断面図である。
【図９】フロントケースを裏面側から見た場合の斜視図である。
【図１０】携帯電話機の構造の他の例を示す断面図である。
【図１１】携帯電話機の操作部を含む筐体部を分解した状態を示す説明図である。
【図１２】マイクロフォンの具体的な取り付け構造の更に他の例を示す断面図である。
【符号の説明】
【００８７】
１２  フロントケース
１００  携帯電話機
１１０  ＥＬシート
１２０  ＩＯコネクタ
１２４  操作部
１３０  マイクロフォン
１３０ａ  取付部
１３１  音孔
１３２  メッシュ
１３３  ＦＥＴ
１３４  マイクフォルダ
１３５  振動板
１３６  カプセル
１３７  マイク側音孔
１４０  基板
１５０  キーシート
２０１  コネクタ端子部
２０２  外部導体
２０３  外皮部
【図１】
0004710622.tif 000002
【図２】
0004710622.tif 000003
【図３】
0004710622.tif 000004
【図４】
0004710622.tif 000005
【図５】
0004710622.tif 000006
【図６】
0004710622.tif 000007
【図７】
0004710622.tif 000008
【図８】
0004710622.tif 000009
【図９】
0004710622.tif 000010
【図１０】
0004710622.tif 000011
【図１１】
0004710622.tif 000012
【図１２】
0004710622.tif 000013